(57)【要約】【課題】型代を含む製造コストを抑えると共に製造時の作業負担を軽減できる構造を備えた揺動人形を提供する。【解決手段】台座部２に繋がる第一人形部３の上に配置される第二人形部４がコイルバネ５により揺動可能に支持されている揺動人形であって、第一人形部３は、少なくとも人形の両脚の形状Ｌが隙間なく一体に形成され、第一人形部３の上端部に、コイルバネ５が抜けるのを防ぐ抜け止め溝３ｃを備えてコイルバネ５の一端に嵌合される第一嵌合部３ａを有し、第二人形部４は、少なくとも人形の頭の形状Ｈに形成され、コイルバネ５の他端が挿入される収容空間４ｂに、コイルバネ５が抜けるのを防ぐ抜け止め溝４ｅを備えてコイルバネ５の他端に嵌合される第二嵌合部４ａを有する。【選択図】図２
0003222374.tif 000002
【実用新案登録請求の範囲】
【請求項１】
台座部に繋がる第一人形部の上に配置される第二人形部がコイルバネにより揺動可能に支持されている揺動人形であって、
前記第一人形部は、少なくとも人形の両脚が隙間なく一体に形成され、前記第一人形部の上端部に、前記コイルバネが抜けるのを防ぐ抜け止め溝を備えて前記コイルバネの一端に嵌合される第一嵌合部を有し、
前記第二人形部は、少なくとも前記人形の頭の形状に形成され、前記コイルバネの他端が挿入される収容空間に、前記コイルバネが抜けるのを防ぐ抜け止め溝を備えて前記コイルバネの他端に嵌合される第二嵌合部を有することを特徴とする揺動人形。
【請求項２】
前記第一人形部は、前記脚の形状に繋がる胴の形状と、前記胴の形状に繋がる左右の腕の形状と、首の形状とが形成され、前記首の形状の部分より先端に、前記コイルバネの一端と嵌合する嵌合部を有し、
前記第二人形部は、前記第一人形部と対抗する側に、前記コイルバネを収容する収容空間が形成され、前記コイルバネの他端と嵌合するボス部を有している、請求項１に記載の揺動人形。
【請求項３】
前記第一人形部は、前記脚部の形状が形成された部分に繋がって前記コイルバネの一端と嵌合する嵌合部を有し、
前記第二人形部は、前記人形の前記頭部の形状と繋がる首部の形状と、前記首部の形状と繋がる胴の形状と、前記胴の形状と繋がる左右の腕の形状とが形成され、前記第二人形部は、前記第一人形部と対抗する側に、前記コイルバネを収容する収容空間が形成され、前記コイルバネの他端と嵌合するボス部を有している、請求項１に記載の揺動人形。
【請求項４】
前記第一人形部は、硬貨を収容する第一収容空間と、前記第一収容空間に硬貨を入れるための投入口を有する、請求項１〜３のいずれか一項に記載の揺動人形。
【請求項５】
前記台座部は、前記第一収容室空間と繋がっている第二収容空間と、第二収容空間の中の硬貨を取り出すときに用いる取出し口とを有する、請求項４に記載の揺動人形。
【請求項６】
前記台座部は、硬貨を収容する第二収容空間と、前記第二収容空間に硬貨を入れるための投入口を有する、請求項１〜３のいずれか一項に記載の揺動人形。
【考案の詳細な説明】
【技術分野】
【０００１】
本考案は、揺動人形に関し、さらに詳細には、コイルバネに支持された部材を外力により揺動させる揺動人形に関する。
【背景技術】
【０００２】
従来から、首振り人形などの揺動人形は公知である。例えば、特許文献１には、胴部と一対の脚から成る本体に、左右の腕体と首体が取り付けられ、さらに首体に弾性部材を介して頭体が支持されている。この考案によれば、頭部に加えられた押圧により、頭部が半径方向の何れか一方向に傾くと、コイルバネの復元力により元の位置に戻ろうとする結果、元の位置を通過して反対側に傾く。この動作が複数回行われることにより、あたかも人形が首を振っているように見えるので、見る者を楽しませることができる。
【先行技術文献】
【特許文献】
【０００３】
【特許文献１】実開昭５３−１６６９９１号公報
【考案の概要】
【考案が解決しようとする課題】
【０００４】
しかし、特許文献１の考案では、本体が胴部と両脚の間に隙間が形成されているので、その部分の形状のため金型が複雑となって金型コストが高く、また、胴部に別体の腕部と首部を夫々取り付ける必要があるため、組み立てるときの作業負担が大きいという問題があった。
【０００５】
本考案は、上記問題に鑑み、型代を含む製造コストを抑えると共に製造時の作業負担を軽減できる構造を備えた揺動人形を提供することを課題とする。
【課題を解決するための手段】
【０００６】
上記課題を解決することを目的としてなされた本考案の揺動人形の構成は、台座部に繋がる第一人形部の上に配置される第二人形部がコイルバネにより揺動可能に支持されている揺動人形であって、第一人形部は、少なくとも人形の両脚が隙間なく一体に形成され、第一人形部の上端部に、コイルバネが抜けるのを防ぐ抜け止め溝を備えてコイルバネの一端に嵌合される第一嵌合部を有し、第二人形部は、少なくとも人形の頭の形状に形成され、コイルバネの他端が挿入される収容空間に、コイルバネが抜けるのを防ぐ抜け止め溝を備えてコイルバネの他端に嵌合される第二嵌合部を有することを特徴とする。
【０００７】
第一人形部は、脚の形状に繋がる胴の形状と、胴の形状に繋がる左右の腕の形状と、首の形状とが形成され、首の形状の部分より先端に、コイルバネの一端と嵌合する嵌合部を有し、第二人形部は、第一人形部と対抗する側に、コイルバネを収容する収容空間が形成され、コイルバネの他端と嵌合するボス部を有していることが好ましい。
【０００８】
第一人形部は、脚部の形状が形成された部分に繋がってコイルバネの一端と嵌合する嵌合部を有し、第二人形部は、人形の頭部の形状と繋がる首部の形状と、首部の形状と繋がる胴の形状と、胴の形状と繋がる左右の腕の形状とが形成され、第二人形部は、第一人形部と対抗する側に、コイルバネを収容する収容空間が形成され、コイルバネの他端と嵌合するボス部を有していることが好ましい。
【０００９】
第一人形部は、硬貨を収容する第一収容空間と、第一収容空間に硬貨を入れるための投入口を有することができる。その場合は、台座部は、第一収容室空間と繋がっている第二収容空間と、第二収容空間の中の硬貨を取り出すときに用いる取出し口とを有することが好ましい。
【００１０】
また、座部は、硬貨を収容する第二収容空間と、第二収容空間に硬貨を入れるための投入口を有することができる。
【考案の効果】
【００１１】
本考案は、型代を含む製造コストを抑えると共に製造時の作業負担を軽減できる構造を備えた揺動人形を提供することができる。
【図面の簡単な説明】
【００１２】
【図１】本考案の揺動人形の一例の斜視図。
【図２】図１の揺動人形の縦断面図。
【図３】本考案の揺動人形の他の例の斜視図。
【図４】図３の揺動人形の縦断面図。
【考案を実施するための形態】
【００１３】
〔第１実施形態〕
図１及び図２を参照して、本考案の揺動人形の第１実施形態について説明する。
本実施形態の揺動人形１は、図１に示すように、台座部２と、台座部２と繋がり少なくとも人形の両脚の形状Ｌが隙間なく一体に形成された第一人形部３と、第一人形部３の上に配置され、少なくとも人形の頭の形状Ｈが形成された第二人形部４と、第一人形部３と第二人形部４の間に配置されて第二人形部４を揺動可能に支持するコイルバネ５を有する。
台座部２、第一人形部３及び第二人形部４は、素焼きの陶器製又はプラスチック製であり、第一人形部３と第二人形部４で一つの人形を形作る。
以下、揺動人形１を構成する台座部２、第一人形部及び第二人形部４について説明する。
【００１４】
［台座部２］
台座部２は、例えば円板状に形成されており、内部に硬貨を収容する第一収容空間２ｂが形成されている。第一収容空間２ｂは、後述する第一人形部３に形成された第二収容空間３ｂと繋がっている。
なお、台座部２の形状は、平面視で四角形状や六角形状に形成されていてもよい。
【００１５】
図２に示すように、台座部２の第一人形部３と繋がっている面と対向する面には、第一収容空間２ｂに収容された硬貨を取り出すための取出し口２ｃが形成されている。取出し口２ｃは、硬貨を取り出すとき以外は、テープ２ｄが貼られて、閉じられている。
【００１６】
台座部２の外周面には、第一人形部３と第二人形部４により形作られる人形の名称を記載する記載領域２ｅを有する。
【００１７】
［第一人形部３］
第一人形部３は、台座部２から離れる方向へ順に、両脚の形状Ｌに繋がる胴の形状Ｃと、胴の形状Ｃに繋がる左右の腕の形状Ｗと首の形状Ｆが形成されている。
第一人形部３は、少なくとも両脚の形状Ｌの部分と胴の形状Ｃの部分の内部に、硬貨を収容する第二収容空間３ｂが形成されている。換言すると、少なくとも両脚の形状Ｌの部分と胴の形状Ｃの部分は、筒状に形成されている。
【００１８】
両脚の形状Ｌは、図１に示すように、上述した筒状の部分の外周面に形成されている。つまり、両脚の間に隙間を形成させていないので、第二収容空間３ｂを形成することができ、第一人形部３の形状を簡素化することができる。
【００１９】
胴の形状Ｃが形成されている部分には、図１に示すように、硬貨を第二収容空間３ｂに投入するための投入口３ｄが形成されている。
【００２０】
第一人形部３は、首の形状Ｆが形成されている部分よりも上方に、コイルバネ５と嵌合する第一嵌合部３ａを有している。
嵌合部３ａは、その先端に、コイルバネ５が抜けるのを防止する抜け止め溝３ｃが形成されている。そのため、内側に第一嵌合部３ａが押し込まれたコイルバネ５の一端は、抜け止め溝３ｃに達すると、抜け止め溝３ｃに嵌り固定されることができる。
【００２１】
［第二人形部４］
第二人形部４は、外周面に頭の形状Ｈが形成されており、内部には、第一人形部３に固定されたコイルバネ５と収容する収容空間４ｂと、第一人形部と対抗する側に収容空間４ｂと繋がる開口部４ｃと、収容空間４ｂの内部の開口部４ｃと対抗する位置に、コイルバネ５の内側に押し込まれて、コイルバネ５の他端と嵌合する第二嵌合部４ａを有している。第二嵌合部４ａには、第一嵌合部３ａと同様に、抜け止め溝４ｅを有している。
【００２２】
［コイルバネ５］
コイルバネ５は、その一端側が嵌合部３ａと嵌合して、第一人形部３に半径方向の何れかの方向にも揺動可能に支持されている。そして、他端側が第二人形部４の第二嵌合部４ａと嵌合して、第二人形部４を半径方向の何れかの方向にも揺動可能に支持している。
【００２３】
次に、揺動人形１の奏する効果について説明する。
揺動人形１は、第二人形部４が、コイルバネ５により、半径方向のいずれの方向にも揺動可能に支持されている。そして、第一人形部３には、両脚の形状Ｌに繋がる胴の形状Ｃと、胴の形状Ｃに繋がる左右の腕の形状Ｗと、首の形状Ｆが形成され、第二人形部４には、頭の形状Ｈが形成されている。この構成により、第二人形部４が押圧などの外力により、半径方向の何れかの方向に傾くと、コイルバネ５の復元力により元の位置に戻ろうとする結果、元の位置を通過して反対側に傾くという動作が複数回行われることになり、上述した第二人形部４の揺動により人形が首を振っているように見えるので、見る者を楽しませることができる。
【００２４】
さらに、揺動人形１は、台座部２の第一人形部３に形成された第一収容空間２ｂ、３ｂに、投入口３ｄから硬貨を投入することができ、第一収容空間２ｂ、３ｂに収容された硬貨を取出し口２ｃから取り出すことができる。そのため、揺動人形１を貯金箱として使用することもできる。
揺動人形１には、外力を加えて首を振っているように見えるようにするために、見る者が近づくことが多いので、その近づいたときに首振り人形に見る者にさせたい他の行為、具体的には貯金という行為をさせることで、貯金という行為を習慣化させることができる。
【００２５】
〔第２実施形態〕
次に、第２実施形態について図３及び図４を参照して説明する。
第１実施形態と同じ構成要素には、第１実施形態と同じ符号を付し、説明を省略する。
【００２６】
図４に示すように、本実施形態の揺動人形１Ａは、揺動人形１と同様に、コイルバネ５の一端が第一人形部３Ａの嵌合部３ａと嵌合し、開口部４ｃから収容空間４ｂに挿入された他端が、第二嵌合部４ａと嵌合して、第二人形部４がコイルバネ４に半径方向のいずれの方向にも揺動可能に支持されている。
しかし、第１実施形態と異なり、第一人形部３Ａは、人形の各部の形状のうち両脚の形状Ｌのみが形成されており、第二人形部４Ａは、その外表面に、人形の頭の形状Ｈと繋がる首の形状Ｆと、首の形状Ｆと繋がる胴の形状Ｃと、胴の形状Ｃと繋がる左右の腕の形状Ｗが形成されている。
この構成により、第二人形部４が押圧などの外力により、揺動すると、人形が腰を振っているように見えるので、見る者を楽しませることができる。
【００２７】
本実施形態の揺動人形１Ａも、図４に示すように、台座部２に第一収容空間２ｂが形成され、第一人形部３に第一収容空間２ｂと繋がる第二収容空間３ｂが形成されている。そして、台座部２の底面には、第一収容空間２ｂに収容された硬貨を取り出すための取出し口２ｃが形成され、第一人形部３の両脚の形状Ｌの部分に硬貨を第一収容空間２ｂ、３ｂに投入するための投入口３ｄが形成されている。この構成により、揺動人形１と同様に、貯金箱として使用できる。
【００２８】
以上、本考案の好適な実施形態を説明したが、これ以外にも、本考案の主旨を逸脱しない限り、上記実施形態で挙げた構成を取捨選択したり、他の構成に適宜変更したりすることができる。
例えば、第一収容空間２ｂ、３ｂが形成されていなくてもよい。その場合でも、第二人形部４の揺動により見る者を楽しませることができる。
【００２９】
また、第１実施形態の揺動人形１は、第一収容空間２ｂと第二収容空間３ｂが繋がった状態に形成されているが、本考案はこれに限定されない。第一収容空間２ｂと第二収容空間３ｂが繋がっていなくてもよい。その場合には、台座部２と第一人形部３が、収容空間に繋がる投入口と取出し口を各々有する。
【００３０】
さらに、揺動人形１と揺動人形１Ａは、第一収容空間２ｂと第二収容空間３ｂを有しているが、本考案はこれに限定されない。第一収容空間２ｂと第二収容空間３ｂのどちらか一方のみ有していれば、貯金箱に用いることができる。
【００３１】
第１実施形態の揺動人形１は、第一収容空間２ｂに繋がる取出し口２ｃを有しているが、本考案はこれに限定されない。その場合でも、台座部２や第二人形部４を破壊することで、第一収容空間２ｂや第二収容空間３ｂの中の硬貨を取り出すことができる。
【符号の説明】
【００３２】
１    揺動人形
２    台座部
３    第一人形部
４    第二人形部
５    コイルバネ
Ｌ    両脚の形状
Ｈ    頭の形状
【図１】
0003222374.tif 000003
【図２】
0003222374.tif 000004
【図３】
0003222374.tif 000005
【図４】
0003222374.tif 000006